(57)【特許請求の範囲】
【請求項１】
前身頃の股内側と後身頃の股内側とが縫製されていると共に、前身頃の股外側と後身頃の股外側とが縫製され、前身頃の上端側と後身頃の上端側とにベルト布が縫製されて構成されたズボン本体と、
前記ズボン本体の腰部に対応する位置に設けられた伸縮性生地と、
前記ベルト布に取り付けられた腰痛保護帯と、を備え、
前記伸縮性生地は、上端側が前記ベルト布に縫製され、下端側が後身頃に縫製され、
前記腰痛保護帯は、前記ベルト布の腰部に対応する部位において着脱手段を介して前記ベルト布の外側に着脱自在に取り付けられていることを特徴とする腰痛保護帯付きズボン。
【請求項２】
前記ズボン本体のベルト布の腹部に位置する部位の左右両側に左腹部面ファスナーと右腹部面ファスナーが固定して取り付けられ、
前記腰痛保護帯は、一対の伸縮性を有する左保護バンドと右保護バンドとからなり、
左保護バンドは、前記ベルト布の腰部に位置する部位に後部が取り付けられ、前部に左接続面ファスナーが設けられ、
右保護バンドは、前記ベルト布の腰部に位置する部位に後部が取り付けられ、前部に右接続面ファスナーが設けられ、
前記左保護バンドの左接続面ファスナーを前記ベルト布の腹部の左側に位置する部位に設けられた左腹部面ファスナーに着脱可能に連結し、前記右保護バンドの右接続面ファスナーを前記ベルト布の腹部の右側に位置する部位に設けられた右腹部面ファスナーに着脱可能に連結して腰部を保護することを特徴とする請求項１記載の腰痛保護帯付きズボン。
【請求項３】
前記ズボン本体のベルト布の腹部に位置する部位の左右両側に左腹部面ファスナーと右腹部面ファスナーが固定して取り付けられ、
前記腰痛保護帯は、伸縮性を有する素材で形成され、長手方向の略中央が前記ベルト布の腰部に位置する部位に取り付けられ、長手方向の左端側に左接続面ファスナーが設けられ、長手方向の右端側に右接続面ファスナーが設けられ、
前記腰痛保護帯の左接続面ファスナーを前記ベルト布の腹部の左側に位置する部位に設けられた左腹部面ファスナーに着脱可能に連結し、前記腰痛保護帯の右接続面ファスナーを前記ベルト布の腹部の右側に位置する部位に設けられた右腹部面ファスナーに着脱可能に連結して腰部を保護することを特徴とする請求項１記載の腰痛保護帯付きズボン。
【請求項４】
前記腰痛保護帯は、一対の伸縮性を有する左保護バンドと右保護バンドとからなり、
左保護バンド及び右保護バンドは、後部が前記ベルト布の腰部に位置する部位に取り付けられ、互いに前部が重なり合う長さで形成され、重なり合う重合面にそれぞれ左連結面ファスナーと右連結面ファスナーが設けられ、
左保護バンドの左連結面ファスナーと右保護バンドの右連結面ファスナーを着脱可能に連結して腰部を保護することを特徴とする請求項１記載の腰痛保護帯付きズボン。
【請求項５】
前記腰痛保護帯は、伸縮性を有する素材で形成され、長手方向の略中央が前記ベルト布の腰部に位置する部位に取り付けられ、長手方向の左右両端側が重なり合う長さに形成され、重なり合う重合面にそれぞれ左連結面ファスナーと右連結面ファスナーが設けられ、
腰痛保護帯の左端側の左連結面ファスナーと右端側の右連結面ファスナーを着脱可能に連結して腰部を保護することを特徴とする請求項１記載の腰痛保護帯付きズボン。
【請求項６】
前記ズボン本体には、前記伸縮性生地を覆う覆い布が設けられ、
前記覆い布は、横方向に伸びた折り目のところで折り返されて襞状に形成されていることを特徴とする請求項１乃至５のいずれか１項に記載の腰痛保護帯付きズボン。
【請求項７】
前記覆い布は、上端側がベルト布に縫製され、下端側が後身頃に縫製されていることを特徴とする請求項６記載の腰痛保護帯付きズボン。
【発明の詳細な説明】
【技術分野】
【０００１】
本発明は、腰痛保護帯がズボンのベルト部に固定して取り付けられる腰痛保護帯付きズボンに関する。
【背景技術】
【０００２】
従来腰痛は、物の上げ下ろしを行う軽作業、店頭で立って行う販売、椅子に座って行うデスクワーク等の種々の原因が存在し、発症すると業務に支障をきたすことになる。このような腰痛の予防及び腰痛の軽減のために、腰部に装着する腰痛保護帯が存在する（例えば、特許文献１、２）。当該腰痛保護帯は、腰部に装着してから、その上にズボンを履くことになる。また、上記したような腰痛保護帯を最初からズボン本体のベルト部に固定して取り付けた腰痛保護帯付きズボンも存在する（例えば、特許文献３、４）。
【先行技術文献】
【特許文献】
【０００３】
【特許文献１】特許第３５９７２２８号公報
【特許文献２】実用新案登録第３０８６２４２号公報
【特許文献３】特開２００８−８１８６４号公報
【特許文献４】特開平１０−４６４０９号公報
【発明の概要】
【発明が解決しようとする課題】
【０００４】
当該腰痛保護帯は、ズボン本体と別体であるため、ズボンを交換しても装着することができ、ズボンが引っ張られても連動してずれることがない。しかし腰痛保護帯は、腰部に装着してからズボンを履くので、ズボンが膨れてしまい、スマートさに欠けると共に、ズボンが破れ易く、動き難くなるという問題点があった。さらに、腰痛保護帯は、排便等の用を足す場合にも、そのたび取り外ししなくてはならず、面倒であるという問題点があった。また、腰痛保護帯付きズボンは、ズボン本体が膨れることがなく、スマートさを維持でき、動きに支障が出難いが、腰痛保護帯がズボン本体のベルト部に固定されているので、ズボン本体の動きに連動して腰痛保護帯がずれやすいという問題点があった。例えば、図２１に示すように、ズボンの着用者が腰を屈曲（前屈）させたり、図２２に示すように、椅子に腰掛けると、ズボンの腰部側のベルト部が下方に引っ張られて下がってしまい、ベルト部の位置にある腰痛保護帯の位置がずれて腰痛保護帯としての機能が損なわれるという問題点があった。即ち、腰痛保護帯付きズボンは、椅子に座ったり、しゃがんだりした時に、ズボンの後ろ腰部に相当する部分が下方に引っ張られることになり、しだいに腰痛保護帯がずり下がり保護したい腰の部分から外れ、快適性と本来の機能が損なわれ、むしろ邪魔な存在になる可能性があるという問題点があった。
【０００５】
本願発明は、上記問題点に鑑み案出したものであって、ズボン本体が膨れることがなく、スマートさを維持でき、動きに支障が出ない等の快適性を備え、ズボン本体が下方に引っ張られてもズボン本体に固定されている腰痛保護帯の装着位置がずれることがなく、快適性と腰部保護機能を保持できる腰痛保護体付きズボンを提供することを目的とする。
【課題を解決するための手段】
【０００６】
本願請求項１に係る腰痛保護帯付きズボンは、上記目的を達成するため、前身頃の股内側と後身頃の股内側とが縫製されていると共に、前身頃の股外側と後身頃の股外側とが縫製され、前身頃の上端側と後身頃の上端側とにベルト布が縫製されて構成されたズボン本体と、前記ズボン本体の腰部に対応する位置に設けられた伸縮性生地と、前記ベルト布に取り付けられた腰痛保護帯とからなることを特徴とする。
【０００７】
本願請求項２に係る腰痛保護帯付きズボンは、上記目的を達成するため、前記伸縮性生地は、上端側がベルト布に縫製され、下端側が後身頃に縫製されてズボン本体に設けられていることを特徴とする。
【０００８】
本願請求項３に係る腰痛保護帯付きズボンは、上記目的を達成するため、前記腰痛保護帯は、前記ベルト布に縫製されて取り付けられていることを特徴とする。
【０００９】
本願請求項４に係る腰痛保護帯付きズボンは、上記目的を達成するため、前記腰痛保護帯は、前記ベルト布に着脱手段によって着脱可能に取り付けられていることを特徴とする。
【００１０】
本願請求項５に係る腰痛保護帯付きズボンは、上記目的を達成するため、前記ズボン本体のベルト布の腹部に位置する部位の左右両側に左腹部面ファスナーと右腹部面ファスナーが固定して取り付けられ、前記腰痛保護帯は、一対の伸縮性を有する左保護バンドと右保護バンドとからなり、左保護バンドは、前記ベルト布の腰部に位置する部位に後部が取り付けられ、前部に左接続面ファスナーが設けられ、右保護バンドは、前記ベルト布の腰部に位置する部位に後部が取り付けられ、前部に右接続面ファスナーが設けられ、前記左保護バンドの左接続面ファスナーを前記ベルト布の腹部の左側に位置する部位に設けられた左腹部面ファスナーに着脱可能に連結し、前記右保護バンドの右接続面ファスナーを前記ベルト布の腹部の右側に位置する部位に設けられた右腹部面ファスナーに着脱可能に連結して腰部を保護することを特徴とする。
【００１１】
本願請求項６に係る腰痛保護帯付きズボンは、上記目的を達成するため、前記ズボン本体のベルト布の腹部に位置する部位の左右両側に左腹部面ファスナーと右腹部面ファスナーが固定して取り付けられ、前記腰痛保護帯は、伸縮性を有する素材で形成され、長手方向の略中央が前記ベルト布の腰部に位置する部位に取り付けられ、長手方向の左端側に左接続面ファスナーが設けられ、長手方向の右端側に右接続面ファスナーが設けられ、前記腰痛保護帯の左接続面ファスナーを前記ベルト布の腹部の左側に位置する部位に設けられた左腹部面ファスナーに着脱可能に連結し、前記腰痛保護帯の右接続面ファスナーを前記ベルト布の腹部の右側に位置する部位に設けられた右腹部面ファスナーに着脱可能に連結して腰部を保護することを特徴とする。
【００１２】
本願請求項７に係る腰痛保護帯付きズボンは、上記目的を達成するため、前記腰痛保護帯は、一対の伸縮性を有する左保護バンドと右保護バンドとからなり、左保護バンド及び右保護バンドは、後部が前記ベルト布の腰部に位置する部位に取り付けられ、互いに前部が重なり合う長さで形成され、重なり合う重合面にそれぞれ左連結面ファスナーと右連結面ファスナーが設けられ、左保護バンドの左連結面ファスナーと右保護バンドの右連結面ファスナーを着脱可能に連結して腰部を保護することを特徴とする。
【００１３】
本願請求項８に係る腰痛保護帯付きズボンは、上記目的を達成するため、前記腰痛保護帯は、伸縮性を有する素材で形成され、長手方向の略中央が前記ベルト布の腰部に位置する部位に取り付けられ、長手方向の左右両端側が重なり合う長さに形成され、重なり合う重合面にそれぞれ左連結面ファスナーと右連結面ファスナーが設けられ、腰痛保護帯の左端側の左連結面ファスナーと右端側の右連結面ファスナーを着脱可能に連結して腰部を保護することを特徴とする。
【００１４】
本願請求項９に係る腰痛保護帯付きズボンは、上記目的を達成するため、前記ズボン本体には、前記伸縮性生地を覆う覆い布が設けられ、前記覆い布は、横方向に伸びた折り目のところで折り返されて襞状に形成されていることを特徴とする。
【００１５】
本願請求項１０に係る腰痛保護帯付きズボンは、上記目的を達成するため、前記覆い布は、上端側がベルト布に縫製され、下端側が後身頃に縫製されていることを特徴とする。
【発明の効果】
【００１６】
本願発明に係る腰痛保護帯付きズボンは、前身頃の股内側と後身頃の股内側とが縫製されていると共に、前身頃の股外側と後身頃の股外側とが縫製され、前身頃の上端側と後身頃の上端側とにベルト布が縫製されて構成されたズボン本体と、前記ズボン本体の腰部に対応する位置に設けられた伸縮性生地と、前記ベルト布に取り付けられた腰痛保護帯とからなる。
【００１７】
本願発明に係る腰痛保護帯付きズボンは、ベルト布に取り付けられた腰痛保護帯により、腰痛の予防と、腰痛の軽減と、腰痛後の腰の保護を行うことができるという効果がある。また、腰痛保護帯がズボン本体と一体となっているため、ズボン本体が膨れることがなく、スマートさを維持でき、ズボン本体が破れ難く、動きに支障が出ない等の快適性を備えているという効果がある。また、ズボン本体に伸縮性生地が設けられているので、しゃがむ等によりズボン本体が下方に引っ張られても、伸縮性生地が伸びることにより、腰痛保護帯がズボン本体に連動して装着位置がずれることがなく、腰痛保護帯としての機能を保持することができ、装着の快適性を損なうことがないという効果がある。
【００１８】
本願発明に係る腰痛保護帯付きズボンは、前記伸縮性生地の上端側がベルト布に縫製され、前記伸縮性生地の下端側が後身頃に縫製されて伸縮性生地がズボン本体に設けられているので、腰痛保護帯とズボン本体の間に伸縮性生地が設けられている形となり、上記効果がさらに向上する。
【００１９】
本願発明に係る腰痛保護帯付きズボンは、前記腰痛保護帯が前記ベルト布に着脱手段によって着脱可能に取り付けられているので、ズボン本体から腰痛保護帯を外して洗濯することができ他、腰痛保護帯を交換することができるという効果がある。
【００２０】
本願発明に係る腰痛保護帯付きズボンは、前記ズボン本体に、前記伸縮性生地を覆う覆い布が設けられ、前記覆い布は、横方向に伸びた折り目のところで折り返されて襞状に形成されている。
【００２１】
本願発明に係る腰痛保護帯付きズボンは、上記効果に加え、覆い布が前記伸縮性生地を覆うので、伸縮性生地が外から見えない状態となっており、ズボンの外観を損なわないという効果がある。また、覆い布が襞状に形成されているので、覆い布が折り畳まれた状態から展開でき、伸縮性生地の伸縮の弊害にはならないという効果がある。
【図面の簡単な説明】
【００２２】
【図１】本願発明に係る腰痛保護帯付きズボンの一つの実施形態を示す正面図である。
【図２】図１のズボンの側面図である。
【図３】図１のズボンの背面図である。
【図４】図１のズボンの展開した背面図である。
【図５】図１のズボンの展開した正面図である。
【図６】腰痛保護帯の使用形態を示す側面図である。
【図７】図４の腰痛保護帯を省略したズボンのＸ―Ｘ断面図である。
【図８】図１のズボンの前身頃と後身頃と襠部を示す平面図である。
【図９】図１のズボンを着用して腰を前に曲げた状態を示す図である。
【図１０】図１のズボンを着用して椅子に腰掛けた状態を示す図である。
【図１１】腰痛保護帯付きズボンの他の実施形態を示す要部背面図である。
【図１２】図１１のベルト布と腰痛保護帯の着脱を説明する平面図である。
【図１３】腰痛保護帯の他の使用形態を示す説明図である。
【図１４】腰痛保護帯の他の使用形態を示す正面図である。
【図１５】腰痛保護帯付きズボンの他の実施形態を示す展開した背面図である。
【図１６】衣服圧の測定箇所を示す図である。
【図１７】衣服圧の測定結果を示す図である。
【図１８】衣服圧を測定するときにおけるズボンの着用者の姿勢を示す図である。
【図１９】直立姿勢からしゃがみ姿勢、座位姿勢に移行した時の皮膚伸び量を示す図である。
【図２０】直立姿勢、立て膝姿勢、椅子座り姿勢の時の衣服圧を示す図である。
【図２１】従来のズボンを着用して腰を前に曲げた状態を示す図である。
【図２２】従来のズボンを着用して椅子に腰掛けた状態を示す図である。
【発明を実施するための形態】
【００２３】
腰痛保護帯付きズボン１は、図１乃至３に示すように、前身頃２の股内側２ａと後身頃３の股内側３ａとが縫製されていると共に、前身頃２の股外側２ｂと後身頃３の股外側３ｂとが縫製され、前身頃２の上端側２ｄと後身頃３の上端側３ｄとにベルト布１０が縫製されて構成されたズボン本体１ａと、図５に示すように、前記ズボン本体１ａの腰部に対応する位置に設けられた伸縮性生地１５と、前記ベルト布１０に取り付けられた腰痛保護帯３１，５１とからなる。
【００２４】
腰痛保護帯付きズボン１は、ベルト布１０に取り付けられた腰痛保護帯３１，５１により、腰痛の予防と、腰痛の軽減と、腰痛後の腰の保護を行うことができる。また、腰痛保護帯３１，５１がズボン本体１ａと一体となっているため、ズボン本体１ａが膨れることがなく、スマートさを維持でき、ズボン本体１ａが破れ難く、動きに支障が出ない等の快適性を備えている。また、ズボン本体１ａに伸縮性生地１５が設けられているので、図９，１０に示すように、しゃがむ等によりズボン本体１ａが下方に引っ張られても、伸縮性生地１５が伸びることにより、腰痛保護帯３１，５１がズボン本体１ａに連動して装着位置がずれることがなく、腰痛保護帯３１，５１としての機能を保持することができ、装着の快適性を損なうことがない。
【００２５】
腰痛保護帯付きズボン１は、前記伸縮性生地１５の上端側１５ａがベルト布１０に縫製され、前記伸縮性生地１５の下端側１５ｂが後身頃３に縫製されて伸縮性生地１５がズボン本体１ａに設けられているので、腰痛保護帯３１，５１とズボン本体１ａの間に伸縮性生地１５が設けられている形となり、装着の快適性がさらに向上する。
【００２６】
前記腰痛保護帯３１は、図３に示すように、前記ベルト布１０に縫製されて取り付けられている。また、前記腰痛保護帯５１は、図１１，１２に示すように、前記ベルト布１０に着脱手段６０によって着脱可能に取り付けられている。腰痛保護帯付きズボン１は、ズボン本体１ａから腰痛保護帯５１を外して洗濯することができる他、別の腰痛保護帯５１に交換することができる。前記着脱手段６０は、雄部材６１と、当該雄部材６１を係脱自在に係止する雌部材６３とからなるスナップボタンであってもよい。前記腰痛保護帯５１に雄部材６１又は雌部材６３の一方が設けられ、前記ベルト布１０に雄部材６１又は雌部材６３の他方が設けられている。前記腰痛保護帯５１に設けられた雄部材６１又は雌部材６３の一方を前記ベルト布１０に設けられた雄部材６１又は雌部材６３の他方に係止させて、前記腰痛保護帯５１が前記ベルト布１０に着脱可能に取り付けられる。
【００２７】
腰痛保護帯付きズボン１は、前記ズボン本体１ａのベルト布１０の腹部に位置する部位の左右両側に左腹部面ファスナー３２と右腹部面ファスナー３６が固定して取り付けられている。前記腰痛保護帯３１，５１は、一対の伸縮性を有する左保護バンド３５，５５と右保護バンド３９，５９とからなる。左保護バンド３５，５５は、前記ベルト布１０の腰部に位置する部位に後部が取り付けられ、前部に左接続面ファスナー３３，５３が設けられている。右保護バンド３９，５９は、前記ベルト布１０の腰部に位置する部位に後部が取り付けられ、前部に右接続面ファスナー３７，５７が設けられている。腰痛保護帯付きズボン１は、前記左保護バンド３５，５５の左接続面ファスナー３３，５３を前記ベルト布１０の腹部の左側に位置する部位に設けられた左腹部面ファスナー３２に着脱可能に連結し、前記右保護バンド３９，５９の右接続面ファスナー３７，５７を前記ベルト布１０の腹部の右側に位置する部位に設けられた右腹部面ファスナー３６に着脱可能に連結して腰部を保護する。
【００２８】
上記腰痛保護帯３１，５１は、上記した左保護バンド３５，５５と右保護バンド３９，５９とからなる分離した構成と、伸縮性を有する一本の長尺帯の構成がある。即ち、一本の長尺帯で構成された腰痛保護帯３１，５１は、伸縮性を有する素材で形成され、長手方向の略中央が前記ベルト布１０の腰部に位置する部位に取り付けられ、長手方向の左端側に左接続面ファスナー３３，５３が設けられ、長手方向の右端側に右接続面ファスナー３７，５７が設けられている。前記腰痛保護帯３１，５１の左接続面ファスナー３３，５３を左腹部面ファスナー３２に着脱可能に連結し、前記腰痛保護帯３１，５１の右接続面ファスナー３７，５７を右腹部面ファスナー３６に着脱可能に連結して腰部を保護する。
【００２９】
腰痛保護帯付きズボン１は、ベルト布１０の腰部に位置する部位に後部が取り付けられた左保護バンド３５，５５と右保護バンド３９，５９を伸ばす。左保護バンド３５，５５を伸ばして、前部３５ａ，５５ａに設けられた左接続面ファスナー３３，５３を、前記ベルト布１０の腹部に位置する部位の左側に固定して取り付けられた左腹部面ファスナー３２に着脱可能に連結する。右保護バンド３９，５９を伸ばして、前部３９ａ，５９ａに設けられた右接続面ファスナー３７，５７を、前記ベルト布１０の腹部に位置する部位の右側に固定して取り付けられた右腹部面ファスナー３６に着脱可能に連結する。このように連結して腹部を締めることにより、腹圧が上昇し腹腔が硬い柱の役割を果たし、腰椎の保護強化を高め、腰部の負担を軽減することができ、腹筋を補強し、正しい姿勢を維持させることができる。腰痛保護帯付きズボン１は、左保護バンド３５，５５の左接続面ファスナー３３，５３の左腹部面ファスナー３２に対する連結位置と、右保護バンド３９，５９の右接続面ファスナー３７，５７の右腹部面ファスナー３６に対する連結位置を変えることができ、長さ方向の連結位置を変えると腹回りの長さに合わせて腹圧の締め付け具合を調節することができ、上下方向の連結位置を変えると腰部の上下方向の補強位置を変更することができる。
【００３０】
又、前記腰痛保護帯５１は、図１１，１２に示すように、一対の伸縮性を有する左保護バンド５５と右保護バンド５９とからなる。左保護バンド５５及び右保護バンド５９は、後部が前記ベルト布１０の腰部に位置する部位に取り付けられ、互いに前部が重なり合う長さで形成されている。左保護バンド５５及び右保護バンド５９は、重なり合う重合面にそれぞれ左連結面ファスナー６７と右連結面ファスナー６６が設けられている。左保護バンド５５の左連結面ファスナー６７と右保護バンド５９の右連結面ファスナー６６を着脱可能に連結して腰部を保護する。
【００３１】
腰痛保護帯付きズボン１は、ベルト布１０の腰部に位置する部位に後部が取り付けられた左保護バンド５５と右保護バンド５９を伸ばして、左保護バンド５５の左連結面ファスナー６７と右保護バンド５９の右連結面ファスナー６６を着脱可能に連結する。このように連結して腹部の全周を締めることにより、腹圧が上昇し腹腔が硬い柱の役割を果たし、腰椎の保護強化を高め、腰部の負担を軽減することができ、腹筋を補強し、正しい姿勢を維持させることができる。腰痛保護帯付きズボン１は、左保護バンド５５の左連結面ファスナー６７と、右保護バンド５９の右連結面ファスナー６６の連結位置を変えることができ、長さ方向の連結位置を変えると腹回りの長さに合わせて腹圧の締め付け具合を調節することができる。
【００３２】
前記ズボン本体１ａのベルト布１０の腹部に位置する部位の左側又は右側に左腹部面ファスナー３２又は右腹部面ファスナー３６が固定して取り付けられている。図１２に示すように、右保護バンド５９は、前部の前記右連結面ファスナー６６を設けた面と反対側の面に右接続面ファスナー５７が設けられている。左保護バンド５５は、前部の前記左連結面ファスナー６７を設けた面側に左接続面ファスナー５３が設けられている。前記左保護バンド５５の左接続面ファスナー５３を前記ベルト布１０の腹部の左側に位置する部位に設けられた左腹部面ファスナー３２に着脱可能に連結し、前記右保護バンド５９の右接続面ファスナー５７を前記ベルト布１０の腹部の右側に位置する部位に設けられた右腹部面ファスナー３６に着脱可能に連結して位置決めすることができる。なお、前記右保護バンド５９の右接続面ファスナー５７を左腹部面ファスナー３２に着脱可能に連結して位置決めしても良い。
【００３３】
前記腰痛保護帯５１は、伸縮性を有する素材で形成され、長手方向の略中央が前記ベルト布１０の腰部に位置する部位に取り付けられ、長手方向の左右両端側が重なり合う長さに形成され、重なり合う重合面にそれぞれ左連結面ファスナー６７と右連結面ファスナー６６が設けられている。腰痛保護帯５１の左端側の左連結面ファスナー６７と右端側の右連結面ファスナー６６を着脱可能に連結して腰部を保護する。
【００３４】
前記ズボン本体１ａのベルト布１０の腹部に位置する部位の左又は右側に左腹部面ファスナー３２又は右腹部面ファスナー３６が固定して取り付けられている。前記腰痛保護帯３１，５１は、両端側の前記連結面ファスナーを設けた面と反対側の面に左接続面ファスナー３３，５３又は右接続面ファスナー３７，５７が設けられている。前記腰痛保護帯３１，５１の左接続面ファスナー３３，５３を前記ベルト布１０の腹部の左側に位置する部位に設けられた左腹部面ファスナー３２に着脱可能に連結し、又は、右接続面ファスナー３７，５７を前記ベルト布１０の腹部の右側に位置する部位に設けられた右腹部面ファスナー３６に着脱可能に連結して位置決めする。
【００３５】
腰痛保護帯付きズボン１は、前記ズボン本体１ａに、前記伸縮性生地１５を覆う覆い布１６が設けられている。前記覆い布１６は、上端側１６ａがベルト布１０に縫製され、下端側１６ｂが後身頃３に縫製され、横方向に伸びた折り目１７のところで折り返されて襞状に形成されている。
【００３６】
腰痛保護帯付きズボン１は、覆い布１６が前記伸縮性生地１５を覆うので、伸縮性生地１５が外から見えない状態となっており、ズボンの外観を損なわない。また、覆い布１６が襞状に形成されているので、覆い布１６が折り畳まれた状態から展開でき、伸縮性生地１５の伸縮の弊害にはならない。
【００３７】
さらに、腰痛保護帯付きズボンについて、詳細に説明する。図１乃至３に示すように、腰痛保護帯付きズボン１は、左右一対の前身頃２と、左右一対の後身頃３と、内股側の襠部５とを縫い合わせたものである。襠部５は、右足部分６の裾から左足部分７の裾まで連続して設けられている。図２の左側は前側Ｆ、右側は後側Ｒである。襠部５は、前身頃２の股内側側縁２ａと後身頃３の股内側側縁３ａの間で縫製されている（図８参照）。
【００３８】
図８に示すように、襠部５は、裁断された３パーツ５Ａ，５Ｂ，５Ｃからなり、これらを縫い合わせて一体に製作されている。腰痛保護帯付きズボン１は、前記襠部５に、裁断された前身頃２，２と後身頃３，３とを縫い合わせることで製作されている。即ち、腰痛保護帯付きズボン１は、左右それぞれの襠部５の前側側縁５ａと前身頃２の股内側側縁２ａとを縫製し、襠部５の後側側縁５ｂと後身頃３の股内側側縁３ａとを縫製し、左右の前身頃２の股外側側縁２ｂと後身頃３の股外側側縁３ｂと縫製し、更に、左右の前身頃２の胴部側端縁２ｃ、２ｃ同士をチャック部材（図示せず）を介して縫い合わせ、左右の後身頃３の胴部側端縁３ｃ、３ｃ同士を縫製して胴部を拵えることにより作製されている。
【００３９】
また、腰痛保護帯付きズボン１は、図７に示すように、帯状のベルト布１０を半分に折り返し、ベルト布１０の折り返した端縁側１０ａ，１０ａで前記前身頃２の上端縁２ｄと後身頃３の上端縁３ｄを挟み込み、ベルト布１０の折り返した端縁側１０ａ，１０ａと前記前身頃２及び後身頃３の上端縁２ｄ，３ｄを縫製して、環状のベルト部１１が作製されている。前身頃２、後身頃３、襠部５及びベルト布１０は、布帛等の伸縮性をほとんど備えていない生地で形成されている。この前身頃２、後身頃３、襠部５及びベルト布１０によって、腰痛保護帯付きズボン１のズボン本体１ａを構成している。このズボン本体１ａは、襠部５を使用せず、前身頃２、後身頃３及びベルト布１０からなる構成でも良い。
【００４０】
図３，４に示すように、腰痛保護帯付きズボン１の後身頃３，３の上部、即ち、腰痛保護帯付きズボン１の着用者の腰部に対応する部位（腰部から臀部の上側に対応する部位；仙骨部とこの仙骨部の水平方向左右両側の部位）、即ちズボン１の後身頃３，３のベルト部１１の下に、背中を中心として仙骨部の幅の１．５倍〜３倍程度の横方向の長さ（ほぼ３０ｃｍ）、及び、仙骨部の上下方向の長さの１．０倍〜１．５倍程度の上下方向の長さで切り欠かれてスペース１２が形成されており、当該スペース１２に、伸縮性生地１５と覆い布１６が設けられている。図５に示すように、伸縮性生地１５は、矩形状に形成されており、この上端縁１５ａが、環状のベルト部１１の下部、即ち、ベルト布１０の折り返した端縁側１０ａ，１０ａに挟み込まれて縫製されている（図７参照）。伸縮性生地１５は、この下端縁１５ｂ及び左右両端縁１５ｃ、１５ｄが後身頃３，３に縫製されている。
【００４１】
前記伸縮性生地１５は、ある程度の伸縮性と、弾力性と強度を備えた生地、例えばパワーネット生地等で構成されている。一般的に、パワーネット生地とは、ストレッチ性を備えた細かいネット状の編物である。ナイロン等の繊維とポリウレタンの弾性繊維とをお互いに交編して生成されており、伸びたときのキックバック性に優れている。しかし、パワーネット生地に限定されるものでないことは、勿論である。
【００４２】
覆い布１６は、幅寸法（横方向の寸法）が伸縮性生地１５とほぼ等しく、上下方向の寸法が伸縮性生地１５の上下方向の寸法よりも大きい矩形状に形成されている。覆い布１６は、図７に示すように、横方向（幅方向）に伸びた複数の折り目１７のところで山折り及び谷折りで１８０°折り返されて襞状もしくはジャバラ状に形成されている（プリーツになっている）。なお、襞状になっている覆い布１６の上下方向の寸法は、伸縮性生地１５の上下方向の寸法とほぼ等しくなっている。覆い布１６は、後身頃３，３と同様に、布帛等の伸縮性をほとんど備えていない生地で形成されている。
【００４３】
覆い布１６は、腰痛保護帯付きズボン１の着用者の腰部に対応する部位で、伸縮性生地１５に重ねられて設けられている。覆い布１６は、伸縮性生地１５と共に、この上端縁１６ａが、環状のベルト部１１の下部、即ち、ベルト布１０の折り返した端縁側１０ａ，１０ａに挟み込まれて縫製されている。覆い布１６は、伸縮性生地１５と共に、この下端縁１６ｂ及び左右両端縁１６ｃ、１６ｄが後身頃３，３に縫製されている。
【００４４】
図７に示すように、覆い布１６は、各折り目１７のうちで上から偶数本目の谷折り側の折り目１７Ｂ，１７Ｄのところもしくは近傍で、横方向の全長にわたって伸びた縫い目１８で伸縮性生地１５に一体的に縫合されている。また、覆い布１６の第１の折り目１７Ａの近傍と第３の折り目１７Ｃの近傍とに、覆い布１６の幅の全長にわたって延びている縫い目１９が設けられており、覆い布１６がお互いに重なっている。これにより、折り目１７Ａ，１７Ｃの形状が維持されるようになっている。覆い布１６は、プリーツ状に形成されているので、色落ちが少なく、縫い目１８が隠れて糸切れが生じ難い。
【００４５】
上述した伸縮性生地１５と覆い布１６とで、上下方向で伸縮する腰部伸縮部２０を構成する。伸縮性生地１５は、覆い布１６の内側（腰痛保護帯付きズボン１の着用者の腰側）に位置するようにして設けられ、覆い布１６と重なっているので、腰痛保護帯付きズボン１の外側から見えないようになっている。
【００４６】
伸縮性生地１５と覆い布１６は、伸縮性生地１５と覆い布１６との上端縁１５ａ，１６ａと伸縮性生地１５と覆い布１６との下端縁１５ｂ、１６ｂが上下方向に引っ張られると、伸縮性生地１５が弾性変形し、覆い布１６の折り返された襞が拡がって、上下方向に伸びる。なお、覆い布１６は、折り返された襞が拡がって折り目１７が消滅すると、上下方向に伸びなくなるので、覆い布１６と一体となっている伸縮性生地１５もそれ以上は伸びない。
【００４７】
腰痛保護帯付きズボン１は、図４に示すように、環状のベルト部１１の長手方向（着用者の胴回りの方向）の一部、例えば、腰痛保護帯付きズボン１の着用者の腰の左右の側部に対応する部位が弾性を備えて伸縮自在に構成されている。この伸縮自在に構成されているベルト部１１の部位には、筒状のベルト布１０の内側にゴム紐等の弾性体１３が縫製等により設けられている。
【００４８】
腰痛保護帯付きズボン１には、複数のベルト通し２１が設けられている。複数のベルト通し２１は、ベルト部１１の外周に縫製により取り付けられ、ベルトを通して腰痛保護帯付きズボン１が落下しないようにベルトでウエストを適当に締め付け、腰痛保護帯付きズボン１を着用する。
【００４９】
図３，４に示すように、ベルト布１０の後部中央の位置（ズボン着用者の腰骨の部位）には、腰痛保護帯３１が縫製されて取り付けられている。ベルト布１０の左腹部に相当する位置の部位には、左腹部面ファスナー３２が縫製により固定して取り付けられている。ベルト布１０の右腹部に位置する部位には、右腹部面ファスナー３６が縫製により固定して取り付けられている。腰痛保護帯３１は、左接続面ファスナー３３が前部に設けられた伸縮性を有する左保護バンド３５と、右接続面ファスナー３７が前部に設けられた伸縮性を有する右保護バンド３９とからなる。
【００５０】
左保護バンド３５及び右保護バンド３９は、ゴムバンド等の弾力性と伸縮性を備えた長尺状の帯が中央で折り返されて両端が重ねられて形成され、折返し部側が前部３５ａ，３９ａとなり、折り返された両端側が後部３５ｂ，３９ｂとなる。左保護バンド３５及び右保護バンド３９の後部３５ｂ，３９ｂは、ベルト布１０の後部中央の位置（ズボン着用者の腰骨の部位）で縫製されて固定されている。縫製は、直接左保護バンド３５及び右保護バンド３９の後部３５ｂ，３９ｂをベルト布１０に縫い付ける他、布片４０で後部３５ｂ，３９ｂを押さえ付けるようにして、布片４０と共にベルト布１０に縫い付けても構わない。
【００５１】
なお、上記左保護バンド３５及び右保護バンド３９は、分離した状態の構成で説明したが、連続した構成でも構わない。即ち、１本の弾力性と伸縮性を備えた長尺状の長い帯の両端を、帯の中央で接合させることにより、両側に折返し部が形成され、この帯の中央を帯の両端と共にベルト布１０の後部中央の位置に縫製して固定しても良い。
【００５２】
上記左保護バンド３５及び右保護バンド３９の折返し部側前部３５ａ，３９ａには、左接続面ファスナー３３及び右接続面ファスナー３７が縫製して取り付けられている。左接続面ファスナー３３及び右接続面ファスナー３７は、左保護バンド３５及び右保護バンド３９を弾性に抗して伸ばして左腹部面ファスナー３２及び右腹部面ファスナー３６に着脱可能に連結させるものである。左腹部面ファスナー３２及び右腹部面ファスナー３６は、左接続面ファスナー３３及び右接続面ファスナー３７の連結位置を変えて左保護バンド３５及び右保護バンド３９の弾性強度（引っ張り強さ）を調節できるように、幅方向に長く形成されている。
【００５３】
腰痛保護帯付きズボン１は、上記構成を有し、通常のズボンと同様に履き、図６に示すように、左保護バンド３５をベルト通し２１に通し、左保護バンド３５を弾性に抗して伸長させて、左保護バンド３５の前部に設けた左接続面ファスナー３３を、ベルト部１１の左腹部面ファスナー３２に着脱可能に連結させる。同様に、右保護バンド３９をベルト通し２１に通し、右保護バンド３９を弾性に抗して伸長させて、右保護バンド３９の前部に設けた右接続面ファスナー３７を、ベルト部１１の右腹部面ファスナー３６に着脱可能に連結させる。左腹部面ファスナー３２及び右腹部面ファスナー３６は、幅方向に長く形成されているので、左接続面ファスナー３３及び右接続面ファスナー３７の取付位置を変えて、着用者の体型に合わせて左保護バンド３５及び右保護バンド３９の弾性力を調節することができる。
【００５４】
腰痛保護帯付きズボン１は、腰痛保護帯３１が腹部を締めることにより、腹圧が上昇し腹腔が硬い柱の役割を果たし、腰椎の保護強化を高め、腰部の負担を軽減することができ、腹筋を補強し、正しい姿勢を維持させることができる。腰痛保護帯付きズボン１は、一
対の左保護バンド３５及び右保護バンド３９の左接続面ファスナー３３及び右接続面ファスナー３７の、一対の左腹部面ファスナー３２及び右腹部面ファスナー３６に対する連結位置を変えることができ、長さ方向の連結位置を変えると腹回りの長さに合わせて腹圧の締め付け具合を調節することができ、上下方向の連結位置を変えると腰部の上下方向の補強位置を変更することができる。
【００５５】
上記実施の形態では、図３，４に示すように、腰痛保護帯３１が、ベルト布１０の後部中央の位置（ズボン着用者の腰骨の部位）に縫製されて取り付けられている。しかし、図１１，１２に示すように、腰痛保護帯５１を、着脱手段により、ベルト布１０の後部中央の位置（ズボン着用者の腰骨の部位）に着脱可能に取り付けるようにしてもよい。腰痛保護帯５１は、左接続面ファスナー５３が前部に設けられた伸縮性を有する左保護バンド５５と、右接続面ファスナー５７が前部に設けられた伸縮性を有する右保護バンド５９とからなる。
【００５６】
左保護バンド５５及び右保護バンド５９は、ゴムバンド等の弾力性と伸縮性を備えた長尺状の帯が中央で折り返されて両端が重ねられて形成され、折返し部側が前部５５ａ，５９ａとなり、折り返された両端側が後部５５ｂ，５９ｂとなる。左保護バンド５５及び右保護バンド５９の後部５５ｂ，５９ｂは、布片４０で押さえ付けるようにして、布片４０に縫い付けられる。布片４０には、一対の雄ボタン６１，６１を有するテープスナップ６２が縫製されて取り付けられている。ベルト布１０の後部中央の位置（ズボン着用者の腰骨の部位）には、一対の雌ボタン６３，６３を有するテープスナップ６４が縫製されて取り付けられている。
【００５７】
左保護バンド５５及び右保護バンド５９からなる腰痛保護帯５１は、布片４０に取り付けられたテープスナップ６２の一対の雄ボタン６１，６１を、ベルト布１０に取り付けられたテープスナップ６４の一対の雌ボタン６３，６３に着脱可能に連結して、ズボン１のベルト布１０に取り付けられる。なお、腰痛保護帯５１は、左保護バンド５５と右保護バンド５９とからなる、分離した状態の構成で説明しているが、連続した構成でも構わない。即ち、１本の弾力性と伸縮性を備えた長尺状の長い帯の両端を、帯の中央で接合させることにより、両側に折返し部が形成され、この帯の中央と帯の両端を縫製し、ベルト布１０の後部中央の位置に着脱可能に取り付けるようにする。
【００５８】
左保護バンド５５及び右保護バンド５９は、図１３に示すように、ズボン１に取り付けられた状態の時に、前部が重なるよう長さで形成されている。即ち、左保護バンド５５又は右保護バンド５９の一方は、前記保護バンド３５，３９と略同じ長さで形成され、左保護バンド５５又は右保護バンド５９の他方は、前記保護バンド３５，３９より長く形成されている。本実施の形態では、左保護バンド５５の方が右保護バンド５９より長く形成されている。右保護バンド５９の前部上面に左保護バンド５５の前部下面が重なり合うようになっている。右保護バンド５９の前部上面には、右連結面ファスナー６６が縫製により取り付けられ、左保護バンド５５の前部下面には、左連結面ファスナー６７が縫製により取り付けられている。従って、左保護バンド５５及び右保護バンド５９は、ズボン１に取り付けられた状態の時に、左保護バンド５５及び右保護バンド５９の弾性に抗して伸ばして、前部５５ａと５９ａを重ねると、右連結面ファスナー６６と左連結面ファスナー６７が連結するので、腹部全周を圧迫するようにして巻き付けることができる。右連結面ファスナー６６と左連結面ファスナー６７は、左保護バンド５５及び右保護バンド５９の前部５５ａと５９ａの重ねる長さを調節して、左保護バンド５５及び右保護バンド５９の弾性強度（引っ張り強さ）を調節できるように、幅方向に長く形成されている。
【００５９】
なお、上記左保護バンド５５及び右保護バンド５９の下面には、前記左保護バンド３５及び右保護バンド３９と同様に、左腹部面ファスナー３２及び右腹部面ファスナー３６に着脱可能に連結される左接続面ファスナー５３及び右接続面ファスナー５７が縫製して取り付けられている。左接続面ファスナー５３及び右接続面ファスナー５７は、左保護バンド５５及び右保護バンド５９を弾性に抗して伸ばして左腹部面ファスナー３２及び右腹部面ファスナー３６に着脱可能に連結させるものである。
【００６０】
腰痛保護帯付きズボン１は、上記構成を有し、通常のズボンと同様に履き、図１３に示すように、左保護バンド５５及び右保護バンド５９を弾性に抗して伸長させて、左保護バンド５５の前部に設けた左連結面ファスナー６７を、右保護バンド５９の前部に設けた右連結面ファスナー６６に着脱可能に連結させる。左保護バンド５５及び右保護バンド５９の連結位置を変えて、着用者の体型に合わせて左保護バンド５５及び右保護バンド５９の弾性力を調節することができる。左保護バンド５５の左接続面ファスナー５３が、ベルト部１１の左腹部面ファスナー３２に着脱可能に連結し、右保護バンド５９の右接続面ファスナー５７が、ベルト部１１の右腹部面ファスナー３６に着脱可能に連結し、左保護バンド５５及び右保護バンド５９の位置決めをすることができる。
【００６１】
腰痛保護帯付きズボン１は、腰痛保護帯５１が腹部全周を締めることにより、腹圧が上昇し腹腔が硬い柱の役割を果たし、腰椎の保護強化を高め、腰部の負担を軽減することができ、腹筋を補強し、正しい姿勢を維持させることができる。腰痛保護帯付きズボン１は、一対の左保護バンド５５及び右保護バンド５９の左連結面ファスナー６７及び右連結面ファスナー６６の連結位置を変えることができ、長さ方向の連結位置を変えると腹回りの長さに合わせて腹圧の締め付け具合を調節することができる。
【００６２】
前記雄ボタン６１，６１と雌ボタン６３，６３によって、腰痛保護帯５１の着脱手段（スナップボタン）６０を構成している。前記雄ボタン６１，６１及び雌ボタン６３，６３は、テープスナップ６２，６４であり、薄く形成されているので、ズボン１の装着時に腰部に違和感を与えることがない。雄ボタン６１，６１と雌ボタン６３，６３は、腰痛保護帯５１の長手方向（引っ張られる方向）と略直角の方向に、所定間隔あけて配置されている。雄ボタン６１，６１と雌ボタン６３，６３は、連結時に両側から左保護バンド５５と右保護バンド５９によって、略均等に引っ張られるので、連結が容易に外れることはない。なお、着脱手段は、スナップボタンに限定されず、面ファスナーであってもよい。
【００６３】
上記実施の形態では、右保護バンド５９が前記保護バンド３５，３９と略同じ長さで形成され、左保護バンド５５が右保護バンド５９より長く形成されているが、図１４に示すように、右保護バンド５９も左保護バンド５５と同様に、保護バンド３５，３９より長く形成されてもよい。
【００６４】
右保護バンド５９は、ズボン１に取り付けられた状態の時に、弾性に抗して伸ばして右保護バンド５９の右接続面ファスナー５７を左腹部面ファスナー３２に連結でき（図１４（ｂ）参照）、左保護バンド５５を弾性に抗して伸ばして、前部５５ａと５９ａを重ねると、右連結面ファスナー６６と左連結面ファスナー６７が連結するので、腹部全周を圧迫するようにして巻き付けることができる。
【００６５】
腰痛保護帯付きズボン１は、着用者が直立姿勢である時、引っ張られておらず、腰痛保護帯３１，５１が着用者の腰回りに位置しており、伸縮性生地１５及び覆い布１６は、ほとんど延びていない。腰痛保護帯付きズボン１の着用者が、図９に示すように、しゃがんだ姿勢等をとった時、ベルト布１０に上端縁１５ａ，１６ａが縫合され、後身頃３に下端縁１５ｂ，１６ｂが縫合されている伸縮性生地１５及び覆い布１６が適宜伸びるので、ズボンのベルト部１１が下方に引っ張られて下がることがなく、腰痛保護帯３１，５１の位置が腰部からずれて下がることがない。伸縮性生地１５は、姿勢変化時の腰部の皮膚の伸びに追随するので、高い運動性能を確保できる。
【００６６】
なお、ここでいう腰部とは、ズボン１の着用者の骨盤における前方に突出した部位（一般的に「上前腸骨棘」と呼ばれる部位）の付近を示している。そして、腰痛保護帯３１，５１は、腰部に対応する位置に装着することで、腰痛の発生防止効果を最も引き出すことができる。当該効果を引き出すため、本願ではズボン１の股下（ベルト布１０下端から股部上端における部位）を大幅に浅く形成することで、ズボン装着時に、ベルト布１０が自然に腰部の位置にくるようにしている。ベルト布１０が腰部に位置することで、ベルト布１０に取り付けられる腰痛保護帯３１，５１も腰部に位置し、腰痛保護の効果を高めることができる。
【００６７】
通常のズボンでは、股下を浅く形成すると、しゃがんだ姿勢等をとった場合一層ズボンの腰部が下方に引っ張られる。しかし腰痛保護帯付きズボン１は、腰部に腰部伸縮部２０が設けられているので、腰痛保護帯３１，５１の位置が腰部からずれて下がることがない。即ち、しゃがんだ姿勢等をとった時に、図１０のように腰部伸縮部２０が適宜伸びるので、腰痛保護帯３１，５１が腰部からずれ下がることなく常に腰部に対応する位置に配置され、腰痛保護帯３１，５１が腰部の全周に亘って巻き付けている状態を維持することができる。そして、腰痛保護帯３１，５１はこの位置から上下にずれることなく、腰部に対応する位置だけを締め付けることができるようになるので、安定した腰痛の発生防止効果を得ることができる。
【００６８】
腰痛保護帯付きズボン１は、伸縮性生地１５及び覆い布１６を備えていない場合は、腰痛保護帯付きズボン１の着用者が、図２１に示すように、しゃがんだ姿勢等をとった時、後身頃３が直接ベルト部１１に作用して、ベルト部１１が下方に引っ張られて、腰痛保護帯３１，５１の位置が腰部からずれ下がる。このように、腰痛保護帯付きズボン１は、伸縮性生地１５及び覆い布１６が存在するので、腰痛保護帯３１，５１がずれることがなく、常に必要な位置に維持させることができる。
【００６９】
腰痛保護帯付きズボン１の着用者が、図１０に示すように、椅子に腰掛けた時、伸縮性生地１５及び覆い布１６が適宜伸びるので、ズボンのベルト部１１が下方に引っ張られて下がることがなく、腰痛保護帯３１、５１の位置が腰部からずれて下がることがない。これに対し、腰痛保護帯付きズボン１は、伸縮性生地１５及び覆い布１６を備えていない場合は、腰痛保護帯付きズボン１の着用者が、図２２に示すように、椅子に腰掛けた時、後身頃３が直接ベルト部１１に作用して、ベルト部１１が下方に引っ張られて、腰痛保護帯３１、５１の位置が腰部からずれ下がる。このように、腰痛保護帯付きズボン１は、伸縮性生地１５及び覆い布１６が存在するので、腰痛保護帯３１，５１がずれることがなく、常に必要な位置に維持させることができる。
【００７０】
腰痛保護帯付きズボン１は、伸縮性生地１５と覆い布１６が着用者の腰部のところに設けられているので、目立たなくなっており、着用者の運動に伴って伸縮性生地１５及び覆い布１６が適宜伸縮するので着用者が運動しやすくしかも腰痛保護帯３１，５１がずれ難くなっており、しかも、伸縮性生地１５でのピリングやスナッキングが発生しないので、長時間の着用に耐え得るようになっている。
【００７１】
腰痛保護帯付きズボン１は、着用者（作業者）がしゃがんだ姿勢や立膝の姿勢等をとる等作業者が腰を屈曲（前屈）した時に、覆い布１６が適宜伸縮し伸縮性生地１５が露出することがないので、見栄えが悪化することが防止され、伸縮性生地１５及び覆い布１６が伸縮するので、腰痛保護帯付きズボン１のベルト部１１での作業者の腹部への圧迫が低減され、さらに腰痛を低減することができる。即ち、腰痛保護帯付きズボン１は、図１０に示すように、座る姿勢等におけるベルト部１１の後側の後ベルト部１１ｂの「引っ張り」及び「ずり下がり」を防止できると共に、ベルト部１１の前側の前ベルト部１１ａにおける腹部圧迫を回避することができる。
【００７２】
これにより、腰痛保護帯付きズボン１の着用者がしゃがんだ姿勢等をとって腰部や臀部の皮膚が伸びたとき、この皮膚の伸びに追随して、伸縮性生地１５が適宜伸び、腰痛保護帯付きズボン１の着用者に違和感（腹部での圧迫等）が発生することを回避することができる。すなわち、伸縮性生地１５を設けていない通常の軽作業用ズボンであると、図１８に示すように、着用者が直立姿勢（図１８（ａ））から立て膝（図１８（ｂ））・座位（図１８（ｃ））・しゃがみ姿勢（図１８（ｄ））をとったとき、皮膚の伸びにズボンが追随できず、図２１，２２で示すように、ズボンの後ベルト部１１ｂが下方にずり下がって背中があき、シャツがはみ出してしまい、前ベルト部１１ａによって着用者の腹部が圧迫されてしまう。さらに腹部の圧迫によって着用者の背骨も圧迫され、腰痛が発生するおそれがある。しかし、腰痛保護帯付きズボン１では、図９，１０に示すように、皮膚の伸びに追随して伸縮性生地１５が伸びるので、ベルト部１１の位置が変わらず、腹部が圧迫されず腰痛が発生することは無い。
【００７３】
さらに説明すると、腰痛保護帯付きズボン１の着用者がしゃがんだ姿勢（図１８（ｄ））等をとると、腰痛保護帯付きズボン１の腰部から臀部にかけては、腰部から臀部（上から下）に向かうにしたがって、皮膚の伸びる量が多くなる（臀部上方よりも臀部下部（臀溝部）のほうが皮膚の伸び率が大きい）。そこで、図７において、上述したように、上側（伸縮性生地１５の上端縁１５ａと覆い布・伸縮性生地接合部位１８Ａとの間）よりも下側（覆い布・伸縮性生地接合部位１８Ａと覆い布・伸縮性生地接合部位１８Ｂとの間）で伸縮性生地１５が大きく伸びるようにすることで、腰痛保護帯付きズボン１の着用者がしゃがんだ姿勢等になったときに発生する腰部や臀部の違和感や腹部の圧迫感を小さくすることができ腰痛の発生を無くすことができる。
【００７４】
さらに、腰痛保護帯付きズボン１の着用者（作業者）が腰を屈曲したことで作業者の腰部等の皮膚が上下方向で延びて、伸縮性生地１５が皮膚の伸びに応じて伸びても、襞状の覆い布１６も同様に伸びるので、伸縮性生地１５が露出せず、また、伸縮性生地１５と覆い布１６との伸びにより腰痛保護帯付きズボン１のベルト部１１の後側の後ベルト部１１ｂと作業者の腰部との間に間隙が形成されることがほぼ無くなるので、見栄えが悪化することが防止される。
【００７５】
さらに説明すると、従来のズボンでは、ツナギとは異なり、上衣が分離され下衣だけで構成されているので、図２１，２２で示すように、ズボンの着用者が腰を屈曲（前屈）させると、ズボンの後ベルト部１１ｂが、下方にずり下がってしまい、上述した間隙が形成される等して、着用者の腰の部分が露出してしまう。また、場合によってはズボンの中に入れておいたシャツ（裾部）がズボンの外に出てしまって見苦しくなる。腰の部分が露出することで、体が冷えてしまい、風邪をひきやすくなる等の弊害が発生する。
【００７６】
これに対して腰痛保護帯付きズボン１では、図９，１０で示すように、ズボンの着用者が腰を屈曲（前屈）させても、伸縮性生地１５が皮膚の伸びに応じて伸びるので、腰部が露出することが無くなり、腰部が保温される。また、腰痛保護帯付きズボン１の着用者がしゃがんでも、腰痛保護帯付きズボン１の裾（ベルト部のところ）から上衣等のシャツがはみ出す等の着崩れがなくなり、下着等の露出が無くなり、見た目が悪化することが回避され、腰痛保護帯付きズボン１からはみ出したシャツが突出物に引っかかることが回避され、機械に巻き込まれてしまう事態の発生が回避される。
【００７７】
また、腰痛保護帯付きズボン１の着用者がしゃがんでも、腰痛保護帯付きズボン１の裾から腰痛保護帯付きズボン１内に汚物や破片や溶接作業等の火花が入り込むことが回避され、着用者が怪我をするおそれが回避される。 また、着崩れがほとんど発生しないので、着崩れを直す必要がほとんど無くなり、緊急時にも対応することができる。さらに、伸縮性生地１５を備えているので、汗で腰痛保護帯付きズボン１が着用者の皮膚に張り付いても、しゃがむ動作がし難くなることはない。
【００７８】
腰痛保護帯付きズボン１は、会社における事務作業等の軽作業（たとえば、デスクワークを専らとする作業、スーパーマーケットの店員の作業、家電量販店員の作業、ウェイターの作業、調理師の作業、パチンコ店のホールスタッフの作業、清掃業者の作業等）の際に、従業員等が履いて作業を行う軽作業用ズボン（スラックス、トラウザーズ、パンツいわゆる通常ズボン）に適している。
【００７９】
また、ズボン本体１ａには、図１５に示すように、一対の後ポケット２５，２６が左右の臀部のところに設けられている。後ポケット２５，２６は、たとえば、玉縁ポケットになっており、伸縮性生地１５と覆い布１６との左右端の下方に位置している。前述した伸縮性生地１５と覆い布１６は、ズボン本体１ａの左右方向において、左端１５ｃ、１６ｃの位置が左側の後ポケット２５の中心にほぼ一致し、右端１５ｄ、１６ｄの位置が右側の後ポケット２６の中心にほぼ一致していることが望ましい。伸縮性生地１５及び覆い布１６を後ポケット２５，２６の中心間に設定したのは、後ポケット２５，２６自体が通常ズボンにおいてほぼ定まっており範囲限定の基準とするのに適切であるからである。
【００８０】
一般的に軽作業用ズボンは人間のウエストよりも下にその上端があり、後ポケット２５，２６はさらにその下のミドルヒップよりやや下に開口部が設けられる。その地点でのヒップ周長はウェストのそれよりも約２５％程度幅広になっている。よって、伸縮性生地１５及び覆い布１６は、両端がポケット２５，２６の中心に一致していれば、図１５に記載されるように、相当程度狭いものである。
【００８１】
図１９に示す、添付資料１は、伸縮性生地１５と覆い布１６の左右両端の位置が左側の後ポケット２５と右側の後ポケット２６の中心にほぼ一致していることが望ましいことを確認する為に行った実験結果を示すグラフである。なお前記実験における被験者は、身長１６９ｃｍ、ウエスト８０ｃｍであり、Ｌサイズ（ウェスト８０〜８５ｃｍ用）のズボンを履いており、そのポケット中心間の間隔は２７．３ｃｍである。
【００８２】
前記実験では、被験者が直立姿勢（図１８（ａ））から、しゃがみ姿勢（図１８（ｄ）及び前記グラフ中の図参照）又は座位姿勢（図１８（ｃ））に姿勢を変えたときの、腰部後身頃の皮膚伸び量を測定したものである。図１９において、中心が背骨の位置（後身頃中心）に相当し、横軸の数字は、背骨位置から測定位置までの左右方向の距離を表す。縦軸は、その位置での皮膚の伸びを表す。なお左右後ポケット２５，２６の中心間の間隔は２７．３ｃｍであるので、左右後ポケット２５，２６の中心位置は後身頃中心から左右に約１３．７ｃｍ離れた点に位置する。
【００８３】
同図から、例えばしゃがみ姿勢を取った時、後身頃中心では、１．７ｃｍの皮膚伸びが生ずるが、中心から８．１ｃｍ程度離れた位置では前記伸びは約半分になり、１３．５ｃｍ程度離れた部位では伸びは零になることが理解される。同様に、座位姿勢を取ったとき中心では、１．２ｃｍの皮膚伸びが生ずるが、中心から８．１ｃｍ程度離れた位置では、前記伸びは約半分になり、１３．５ｃｍ程度離れた位置では伸びは零になることが理解される。
【００８４】
以上により、伸縮性生地１５の長さを、左右後ポケット２５，２６の中心間の間隔２７．３ｃｍに一致させることにより、伸縮性生地１５の端は後身頃中心から左右に約１３．７ｃｍ離れた点に位置し、皮膚伸びが生ずる部分（範囲）には伸縮性生地１５を設け、生じない部分には設けなくすることができ、屈曲姿勢の際の皮膚伸びに伴う生地の引っ張りを最小限の伸縮性生地１５でもって解消することができる。従って、腰痛保護帯付きズボン１は、無駄な伸縮性生地１５の使用を避けることが出来ると云う技術的特徴を有する。
【００８５】
後ポケット２５，２６の配置は、共通であり、通常ズボンにおいてほぼ定まっており、上記実験により、皮膚伸びがゼロになる地点がほぼ後ポケット２５，２６の中心に来ることを見出した。すなわち、腰痛保護帯付きズボン１は、伸縮性生地１５の長さを左右後ポケット２５，２６の中心間の間隔２７．３ｃｍにすることにより、最小の長さの伸縮性生地１５で、座る姿勢等における後ベルト部１１ｂの引っ張り及びずり下がりを防止できると共に、前ベルト部１１ａにおける腹部圧迫を回避することができる。
【００８６】
ここで、ズボン本体１ａを履いたときにおける着用者の腹部や腰部における衣服圧の測定結果等を示す。衣服圧の測定は、着用者がズボン本体１ａ（パンツ）もしくは従来のズボン（パンツ）を履き、ベルト部１１の外周のベルト通し２１にベルトを通してベルトを設置し、ベルトでズボン本体１ａが落下しないようにウエストを適宜締め付けた状態で、ベルト部１１とベルトとの間に、圧力センサを設置して行った。
【００８７】
圧力センサの設置位置は、図１６で示すように、左肩甲骨直下部Ｐ１、左腋直下部Ｐ２、左乳頭直下部Ｐ３、正中線部Ｐ４、右乳頭直下部Ｐ５、右腋直下部Ｐ６、右肩甲骨直下部Ｐ７の７箇所とした。着用者は、図１８（ａ）に示す直立姿勢（起立姿勢）、図１８（ｂ）に示す立て膝姿勢、図１８（ｃ）に示す椅子座り姿勢をとり、このとき圧力センサでベルトとベルト部１１との間の圧力を測定した。なお、ズボン本体１ａにおける直立姿勢での圧力の測定は省略している。
【００８８】
着用者は、甲、乙２名である。甲は、身長１７２ｃｍ、体重７８ｋｇ、ウエスト８８ｃｍの体格の男性である。乙は、身長１６９ｃｍ、体重７２．５ｋｇ、ウエスト９０ｃｍの体格の男性である。 図１７に、圧力センサによる圧力の測定結果を示す。なお、図１７に示した値（単位はｋＰａ）は、平均値である。この平均値は、１０秒間の測定時間における平均値であり、より具体的には、１０秒間で１秒毎に１１回測定した圧力の平均値である。
【００８９】
図１７（ａ）は、従来の普通のパンツを甲が履いて、直立姿勢、立て膝姿勢、椅子座り姿勢をとったときの、圧力の測定結果（７箇所の測定結果）を示している。 図１７（ｂ）は、ズボン本体１ａを甲が履いて、立て膝姿勢、椅子座り姿勢をとったときの、圧力の測定結果（７箇所の測定結果）を示している。 図１７（ｃ）は、従来の普通のパンツを乙が履いて、直立姿勢、立て膝姿勢、椅子座り姿勢をとったときの、圧力の測定結果（７箇所の測定結果）を示している。 図１７（ｄ）は、ズボン本体１ａを乙が履いて、立て膝姿勢、椅子座り姿勢をとったときの、圧力の測定結果（７箇所の測定結果）を示している。
【００９０】
図１７から明らかなように、直立姿勢に比べて、立て膝姿勢、椅子座り姿勢をとったときのほうが、圧力センサの検出した圧力（衣服圧）が大きくなっている。また、甲乙の個人差はあるが、通常のパンツの衣服圧とズボン本体１ａの衣服圧とを比べると、特に立て膝姿勢をとったときに、着用者の前面（腹側）にかかる衣服圧が、ズボン本体１ａで低減されている。なお、椅子座り姿勢をとったときにおいても、立て膝姿勢ほどではないが、着用者の前面（腹側）にかかる衣服圧が、ズボン本体１ａで低減されている。
【００９１】
さらに、衣服圧については、一般的に３．９２ｋＰａが許容限界とされているが、ズボン本体１ａでは、最大の値が２．８３ｋＰａであり、いずれの衣服圧も上記許容値を下回っている。これにより、ズボン本体１ａでは、着用者の、腰痛の発生の防止等の上述した効果に加えて、血圧の上昇、脈拍の上昇、発汗等の生理現象、倦怠感、頭痛、嘔吐感を抑制することができる。
【００９２】
図２０に示す、添付資料２は、図１７（ｃ）（ｄ）をグラフで表したものである。このグラフにおいて、点Ｐ３，Ｐ４，Ｐ５は、左乳頭直下、正中線部、右乳頭直下を示し、その棒グラフは各点での被服圧を示す。これらの点Ｐ３，Ｐ４，Ｐ５は被験者の体において、後身頃に伸縮性生地１５を設けた位置の正面側に位置する点である。
【００９３】
これらの点の衣服圧は、椅子座り姿勢を取ると直立姿勢の場合よりも、上昇するが、その上昇度合いは、伸縮性生地１５を設けることにより当該生地を設けない場合よりも小さくなることが分かる。また、点Ｐ１、Ｐ７は左肩甲骨直下、右肩甲骨直下を示し、これらの点Ｐ１、Ｐ７は、被験者の体において、後身頃に伸縮性生地１５を設けた位置の背面側に位置する点である。
【００９４】
これらの点の衣服圧は、椅子座り姿勢を取ると直立姿勢の場合よりも、減少するが、その減少度合いは伸縮性生地を設けることにより当該生地を設けない場合よりも小さくなることがわかる。このことから、ズボン本体１ａは、通常ズボンに比べ、椅子座り姿勢において、身体の正面側の衣服圧が増大しない（すなわち腹部を圧迫しない）と共に、身体の背面側の衣服圧が減少しない（すなわち引っ張り及びずり下がりが発生しない）ことがわかる。
【００９５】
このように、腰痛保護帯付きズボン１は、軽作業用ズボン（通常ズボン）において、しゃがんだ姿勢をとった時等に、ベルト部１１等のズボンの後側の後ベルト部１１ｂと作業者の腰部に間隙が形成されるのを防止すると共に、ズボンの前側の前ベルト部１１ａにおける腹部圧迫を低減できるよう、後身頃の皮膚が伸びる間隔に伸縮部が設置され、皮膚の伸びにズボン（伸縮部）を追随させるようにしている。腰痛保護帯付きズボン１は、座り姿勢等における後ベルト部１１ｂの引っ張り等を防止し、前ベルト部１１ａにおける腹部圧迫を回避するために、伸縮部が付加的に設けられたものであるが、皮膚伸びが生じる腰部の必要な部分に伸縮部を設けているので最小限の横幅となっており、軽作業用ズボンとしての本来の外観を保持することができる。
【００９６】
腰痛保護帯付きズボン１は、上記したように、しゃがみ姿勢、座位姿勢を取った場合、腰部の背骨位置から所定距離で皮膚伸びは零となる。そして以上（図１９において１３．５ｃｍ以上）離れた場所では、皮膚自身が縮小するものである。従ってこのような場所に伸縮性生地１５を設けると、しゃがみ姿勢等においてズボンに不用な膨らみが生ずることになる。このような不用な膨らみは、生地の無駄となるばかりでなく、腰部側方に位置する外部突起等に引っ掛かる危険を生ずる。よって、伸縮性生地１５の巾をポケット２５，２６の中心間の巾と一致させることは、これらの点からも考慮しておくことが望ましい。
【産業上の利用可能性】
【００９７】
本願発明は、腰保護バンドがズボン本体に固定して取り付けられた腰痛保護帯付きズボンに利用可能である。
【符号の説明】
【００９８】
１  腰痛保護帯付きズボン
１ａ  ズボン本体
２  前身頃
２ａ  股内側側縁
２ｂ  股外側側縁
２ｃ  胴部側端縁
２ｄ  上端縁（側）
３  後身頃
３ａ  股内側側縁
３ｂ  股外側側縁
３ｃ  胴部側端縁
３ｄ  上端縁（側）
５  襠部
５ａ  前側側縁
５ｂ  後側側縁
６  右足部分
７  左足部分
１０  ベルト布
１０ａ  端縁側
１１  ベルト部
１１ａ  前ベルト部
１１ｂ  後ベルト部
１２  スペース
１３  弾性体
１５  伸縮性生地
１５ａ  上端縁（側）
１５ｂ  下端縁（側）
１５ｃ  左端縁
１５ｄ  右端縁
１６  覆い布
１６ａ  上端縁（側）
１６ｂ  下端縁（側）
１６ｃ  左端縁
１６ｄ  右端縁
１７  折り目
１８  縫い目
１９  縫い目
２０  腰部伸縮部
２１  ベルト通し
２５  左ポケット部
２６  右ポケット部
３１  腰痛保護帯
３２  左腹部面ファスナー
３３  左接続面ファスナー
３５  左保護バンド
３５ａ  前部
３５ｂ  後部
３６  右腹部面ファスナー
３７  右接続面ファスナー
３９  右保護バンド
３９ａ  前部
３９ｂ  後部
４０  布片
５１  腰痛保護帯
５３  左接続面ファスナー
５５  左保護バンド
５５ａ  前部
５５ｂ  後部
５７  右接続面ファスナー
５９  右保護バンド
５９ａ  前部
５９ｂ  後部
６０  スナップボタン（着脱手段）
６１  雄部材（雄ボタン、スナップボタン）
６２  テープスナップ
６３  雌部材（雌ボタン、スナップボタン）
６４  テープスナップ
６６  右連結面ファスナー
６７  左連結面ファスナー
【図１】
0006562824.tif 000002
【図２】
0006562824.tif 000003
【図３】
0006562824.tif 000004
【図４】
0006562824.tif 000005
【図５】
0006562824.tif 000006
【図６】
0006562824.tif 000007
【図７】
0006562824.tif 000008
【図８】
0006562824.tif 000009
【図９】
0006562824.tif 000010
【図１０】
0006562824.tif 000011
【図１１】
0006562824.tif 000012
【図１２】
0006562824.tif 000013
【図１３】
0006562824.tif 000014
【図１４】
0006562824.tif 000015
【図１５】
0006562824.tif 000016
【図１６】
0006562824.tif 000017
【図１７】
0006562824.tif 000018
【図１８】
0006562824.tif 000019
【図１９】
0006562824.tif 000020
【図２０】
0006562824.tif 000021
【図２１】
0006562824.tif 000022
【図２２】
0006562824.tif 000023